(57)【特許請求の範囲】
【請求項１】
作業装置に取付けられた支持ブラケットと、該支持ブラケットに揺動自在に取付けられた揺動ブラケットと、該揺動ブラケットに高さ調整手段を介し取付けられたスキーとを備える作業装置保持用のスキー装置において、
該高さ調整手段は、該揺動ブラケットに形成された角筒状のスライドガイドと、該スライドガイドに摺動可能に嵌合され該スキーが取付けられたスライダとを備えている、ことを特徴とする作業装置保持用のスキー装置。
【請求項２】
該スライドガイドは矩形の筒状に形成されている、請求項１記載の作業装置保持用のスキー装置。
【請求項３】
作業装置に取付けられた支持ブラケットと、該支持ブラケットに高さ調整手段を介し取付けられたスキーとを備え、該高さ調整手段が備える回動軸を該回動軸に連結された操作ハンドルにより回転させ該スキーの高さが調整される作業装置保持用のスキー装置において、
該操作ハンドルは、その基端部が該回動軸に揺動可能に取付けられ、該回動軸の回動を不能にする係止位置に揺動され位置付けられるとともに、該係止位置からの離脱を止めるピン部材が該基端部に着脱自在に取付けられ、
該ピン部材が該回動軸と当接することにより該操作ハンドルの該係止位置からの離脱が止められている、ことを特徴とする作業装置保持用のスキー装置。
【請求項４】
作業装置に取付けられた支持ブラケットと、該支持ブラケットに高さ調整手段を介し取付けられたスキーとを備え、該高さ調整手段が備える回動軸を該回動軸に連結された操作ハンドルにより回転させ該スキーの高さが調整される作業装置保持用のスキー装置において、
該操作ハンドルは、その基端部が該回動軸に揺動可能に取付けられ、該回動軸の回動を不能にする係止位置に揺動され位置付けられるとともに、該係止位置からの離脱を止めるピン部材が該基端部に着脱自在に取付けられ、
該ピン部材は、ピン本体の端部に揺動可能な止め輪を備え、該基端部に該ピン本体を挿入し、該止め輪を該基端部に倒すことにより、該止め輪は自身の弾性力によりその位置に保持され、かつ該ピン本体の該基端部からの抜け出しを止め、
該ピン部材が該回動軸と当接することにより該操作ハンドルの該係止位置からの離脱が止められている、ことを特徴とする作業装置保持用のスキー装置。
【発明の詳細な説明】
【０００１】
【発明の属する技術分野】
本発明は、作業装置保持用のスキー装置、さらに詳しくは、除雪作業車の除雪プラウ、土工作業車の排土ブレードなど作業車の作業装置に取付けられ、作業装置を作業車の走行面から一定の高さに保持するためのスキー装置に関する。
【０００２】
【従来の技術】
作業装置保持用のスキー装置として、例えば実公平５−１６２９５号公報に二つの典型例が開示されている。
【０００３】
図９〜図１１を参照して第１の典型例を説明すると、全体を番号５０で示すスキー装置は、作業装置５１に取付けられた支持ブラケット５２と、支持ブラケット５２に揺動軸５３により揺動自在に取付けられた揺動ブラケット５４と、揺動ブラケット５４に高さ調整可能に取付けられたスキー５５とを備えている。揺動ブラケット５４の先端の円筒５６の内部にはスライダ５７が上下動自在に、かつキー５８により回転不能に設けられ、スライダ５７の下端にスキー５５が連結され、スライダ５７の上部には操作ハンドル５９により回転される回動軸であるスクリュー６０が螺合されている。操作ハンドル５９によりスクリュー６０が回転されると、スライダ５７が上下動され、スキー５５の高さが調整される。高さ調整が終了した後は、操作ハンドル５９を係止部材６１の中に倒すことにより、スクリュー６０の回転が防止される。
【０００４】
図１２及び図１３を参照して第２の典型例を説明すると、全体を番号７０で示すスキー装置は、作業装置７１に取付けられたスライドガイド７２と、スライドガイド７２に上下動自在に、かつ回転不能に設けられたスライドブラケット７３と、スライドブラケット７３に揺動軸７４によって揺動自在に取付けられた揺動ブラケット７５と、揺動ブラケット７５に取付けられたスキー７６と、スライドブラケット７３の上方に配設された高さ調整手段７７とを備えている。高さ調整手段７７は上下動自在なスライダ７８を備え、その下端部にはスライドブラケット７３が連結され、上端部には操作ハンドル７９により回転され作業装置７１にブラケット８０により支持された回動軸であるスクリュー８１が螺合され、操作ハンドル７９によりスクリュー８１が回転されると、スライダ７８、スライドブラケット７３及び揺動ブラケット７５が上下動され、スキー７６の高さが調整される。高さ調整が終了した後は、操作ハンドル７９を一対の板ばねで形成された係止部材８２の中に倒すことにより、スクリュー８１の回転が防止される。
【０００５】
【発明が解決しようとする課題】
上述したとおりの形態の従来の作業装置保持用のスキー装置には、次のとおりの解決すべき問題がある。
【０００６】
（１）スキーの高さ調整量：
スキー装置５０及びスキー装置７０にけるスキー５５（７６）の高さ調整量は、スライダ５７（７８）とスクリュー６０（８１）との螺合している長さで決められる。したがって、調整できる範囲は一定であり、調整範囲を大きくするには螺合長さを大きくしなければならず、スキー装置の大幅な改造が必要になる。また、スキー装置も大きくなってしまう。さらに、スキー装置を作業装置に装着した状態で調整範囲の改造を行うのは実質的に不可能である。
【０００７】
（２）高さ調整手段の構造：
高さ調整手段の構造は、スキー装置５０においては、スライダ５７が円筒５６に上下動自在に、かつキー５８及びキー溝によって回転しないように取付けられ、スキー装置７０においては、スライダ７８に連結されたスライドブラケット７３がスライドガイド７２に上下動自在に、かつ回転しないように取付けられている。したがって、構造が複雑で、部品数も多い。また、製作、組立も簡単ではない。
【０００８】
（３）高さ調整操作をしないときの操作ハンドルの係止：
スキー装置５０においては、操作ハンドル５９を係止部材６１の中に倒すことにより、スキー装置７０においては、操作ハンドル７９を係止部材８２の中に倒すことにより、操作ハンドル５９及び７９は係止され、スクリュー６０及び８１の回転、そしてそれによるスキー５５及び７６の高さの変化が防止される。しかしながら、これらの操作ハンドル５９及び７９は、作業装置の振動、衝撃、また雪、土砂、異物などとの接触により、係止部材６１及び８２から外れやすく、外れるとスクリューの回転が止められずスキーの高さが変わってしまうとともに、自由状態の操作ハンドル５９及び７９が、雪、土砂、異物などとの干渉により変形、破損されてしまう。
【０００９】
本発明は上記事実に鑑みてなされたもので、その第１の技術的課題は、スキー装置におけるスキーの高さ調整量を、従来の高さ調整手段を改造することなしに、またスキー装置の最小限の改造で、さらにスキー装置を作業装置に装着した状態で、容易に増加変更することができるようにした作業装置保持用のスキー装置を提供することである。
【００１０】
本発明の第２の技術的課題は、高さ調整手段の構造を、簡単に、部品数を少なく、そして製作、組立を簡単にした作業装置保持用のスキー装置を提供することである。
【００１１】
さらに本発明の第３の技術的課題は、スキーの高さを調整する操作ハンドルの操作しないときの係止を、確実に、そして容易に行うことができるようにした作業装置保持用のスキー装置を提供することである。
【００１４】
【課題を解決するための手段】
本発明においては、上記第２の技術的課題を解決する作業装置保持用のスキー装置として、作業装置に取付けられた支持ブラケットと、該支持ブラケットに揺動自在に取付けられた揺動ブラケットと、該揺動ブラケットに高さ調整手段を介し取付けられたスキーとを備える作業装置保持用のスキー装置において、該高さ調整手段は、該揺動ブラケットに形成された角筒状のスライドガイドと、該スライドガイドに摺動可能に嵌合され該スキーが取付けられたスライダとを備えている、ことを特徴とする作業装置保持用のスキー装置が提供される。好適実施形態においては、該スライドガイドは矩形の筒状に形成されている。
【００１５】
そして、揺動ブラケットの高さ調整手段のスライドガイドを角筒状に形成し、スライダをそれに嵌合させ、キーなどによるスライダの回転止めを不要にし、構造を簡単に、そして部品数を少なくし、製作、組立も容易に行えるようにする。また、角筒を矩形にして揺動ブラケットを構成する板部材によりスライドガイドを容易に形成することができるようにする。
【００１６】
本発明においては、上記第３の技術的課題を解決する作業装置保持用のスキー装置として、作業装置に取付けられた支持ブラケットと、該支持ブラケットに高さ調整手段を介し取付けられたスキーとを備え、該高さ調整手段が備える回動軸を該回動軸に連結された操作ハンドルにより回転させ該スキーの高さが調整される作業装置保持用のスキー装置において、該操作ハンドルは、その基端部が該回動軸に揺動可能に取付けられ、該回動軸の回動を不能にする係止位置に揺動され位置付けられるとともに、該係止位置からの離脱を止めるピン部材が該基端部に着脱自在に取付けられ、該ピン部材が該回動軸と当接することにより該操作ハンドルの該係止位置からの離脱が止められている、ことを特徴とする作業装置保持用のスキー装置が提供される。また、他の形態として、作業装置に取付けられた支持ブラケットと、該支持ブラケットに高さ調整手段を介し取付けられたスキーとを備え、該高さ調整手段が備える回動軸を該回動軸に連結された操作ハンドルにより回転させ該スキーの高さが調整される作業装置保持用のスキー装置において、該操作ハンドルは、その基端部が該回動軸に揺動可能に取付けられ、該回動軸の回動を不能にする係止位置に揺動され位置付けられるとともに、該係止位置からの離脱を止めるピン部材が該基端部に着脱自在に取付けられ、該ピン部材は、ピン本体の端部に揺動可能な止め輪を備え、該基端部に該ピン本体を挿入し、該止め輪を該基端部に倒すことにより、該止め輪は自身の弾性力によりその位置に保持され、かつ該ピン本体の該基端部からの抜け出しを止め、該ピン部材が該回動軸と当接することにより該操作ハンドルの該係止位置からの離脱が止められている、ことを特徴とする作業装置保持用のスキー装置が提供される。
【００１７】
そして、操作ハンドルを係止位置に揺動させ位置付け、操作ハンドルの基端部に着脱自在なピン部材を取付けることにより、操作ハンドルを操作しないときの係止を、確実に、またピン部材の着脱だけで容易に行なえるようにする。止め輪を備えるピン部材を用いることによりピン部材の着脱が容易に行えるようにし、ピンの抜け止めを確実にし、また異物などと干渉してもピン部材が損傷されにくいようにする。
【００１８】
【発明の実施の形態】
以下、本発明に従って構成された作業装置保持用のスキー装置の好適実施形態を図示している添付図面を参照して、さらに詳細に説明する。
【００１９】
図１及び図２を参照して説明すると、全体を番号２で示す作業装置保持用のスキー装置は、作業装置４に取付けられた支持ブラケット６と、支持ブラケット６に揺動軸８を介し揺動自在に取付けられた揺動ブラケット１０と、揺動ブラケット１０に高さ調整手段１２を介し取付けられたスキー１４とを備えている。
【００２０】
支持ブラケット６は、種々の鋼製部材を相互に溶接して一体に形成され、作業装置４に溶接により一体的に取付けられている。支持ブラケット６は、鉛直方向に揺動軸８を所定の間隔Ｌで支持する一対の軸支部６ａ及び６ｂを備えている。一対の軸支部６ａ及び６ｂの間隔Ｌは、揺動ブラケット１０の軸線方向厚さＴを有する軸受部１１（揺動ブラケット１０については後に詳述する）が、軸線方向厚さｔを有する円筒状のスペーサ１６とともに取付けられる間隔に形成されている。
【００２１】
図１及び図２とともに図３を参照して揺動ブラケット１０を説明すると、揺動ブラケット１０は、種々の鋼製部材を相互に溶接して一体に形成されている。揺動ブラケット１０の一端部に鉛直方向に延びる軸受部１１が形成され、他端部に高さ調整手段１２を構成する鉛直方向に延びる矩形の筒状のスライドガイド１３が形成されている。軸受部１１は、円筒部材１０ａ、円筒部材１０ａの上端に水平方向に延びる平板状の上プレート１０ｂ、及び下端に水平方向に延び途中から下方に折曲げられた下プレート１０ｃを備え形成されている。軸受部１１には、鉛直方向に延びる軸受孔が上プレート１０ｂ、円筒部材１０ａ及び下プレート１０ｃを貫通して形成されている。一対の側面プレート１０ｄ及び１０ｅが上プレート１０ｂ及び下プレート１０ｃの間に配設され、円筒部材１０ａはそれぞれの間に挟まれ、また一対の側面プレート１０ｄ及び１０ｅの間には鉛直方向に延びるプレート１０ｆ及び１０ｇが挟まれ配設されている。そして、これらのプレート１０ｄ、１０ｅ、１０ｆ及び１０ｇにより、鉛直方向に延びる矩形の筒状のスライドガイド１３が形成されている。スライドガイド１３の上端部まで延びた上プレート１０ｂには、高さ調整手段１２のスクリュー１８（スクリュー１８については後に詳述する）が回転自在に取付けられる軸孔１０ｈが形成されている。スライドガイド１３の矩形の筒状の下方は開放されている。上プレート１０ｂにはまた、高さ調整手段１２の操作ハンドル２０（操作ハンドル２０については後に詳述する）を係止する切欠部１０ｊが形成されている。
【００２２】
上述のように構成された揺動ブラケット１０は、支持ブラケット６の一対の軸支部６ａ及び６ｂの間に軸受部１１が、スペーサ１６とともに揺動軸８により揺動自在に取付けられている。揺動軸８は、一端に抜止用フランジが形成され、他端に軸線方向に直交するピン孔が形成され、軸支部６ａの側から軸受部１１、スペーサ１６、軸支部６ｂと通され、ピン孔に着脱自在なＲピン９が挿入され取付けられている。図１においてはスペーサ１６は揺動ブラケット１０の軸受部１１の下端側に組込まれているが、スペーサ１６の取付位置は揺動軸８を脱着して軸受部１１の上端側に組替えが可能になっている。
【００２３】
図１〜図３とともに図４及び図５を参照して高さ調整手段１２を説明すると、高さ調整手段１２は、揺動ブラケット１０に形成された上述のスライドガイド１３と、スライドガイド１３に摺動可能に嵌合され下端部にスキー１４が取付けられたスライダ２２と、スライダ２２と揺動フレーム１０の上プレート１０ｂとの間に配設されスライダ２２に螺合された回動軸であるスクリュー１８と、スクリュー１８の上プレート１０ｂから突出した端部に取付けられた操作ハンドル２０とを備えている。
【００２４】
スライダ２２は、スライドガイド１３の矩形の筒に摺動自在に嵌合する四角棒状に形成されている。そして、その中心の軸線上には貫通孔２２ａが形成され、貫通孔２２ａの上端側には雌ねじ２２ｂが形成されている。スライダ２２の下端部には、スキー１４を取付けるための軸線方向に直交するピン孔が形成されている。
【００２５】
スクリュ１８は、揺動ブラケット１０の上プレート１０ｂの軸孔１０ｈに上プレート１０ｂの下面側から挿入され上方に突出する頭部１８ａと、上プレート１０ｂの下面に当接するフランジ部１８ｂと、フランジ部１８ｂから下方に延びてスライダ２２の雌ねじ２２ｂと螺合する雄ねじ１８ｃとを備え形成されている。頭部１８ａには操作ハンドル２０が取付られている（頭部１８ａについては操作ハンドル２０との関連で後に詳述する）。
【００２６】
スクリュー１８に取付けられるスキー１４は、長方形平板の長手方向両端部を上方に折曲げ形成されたスキー本体１４ａと、スキー本体１４ａの中央部に設けられスライダ２２にピン２３により連結されたブラケット１４ｂと、スキー本体１４ａの下面にボルト１４ｃにより交換可能に取付けられたウエアプレート１４ｄとを備えている。
【００２７】
上述のように構成された高さ調整手段１２は、スクリュー１８がその頭部１８ａに連結された操作ハンドル２０により回転されることにより、螺合しているスライダ２２がスクリュー１８の回転方向に応じスライドガイド１３の中を上下に移動され、スライダ２２に連結したスキー１４が上下に移動され、スキー１４の上下高さが調整される。
【００２８】
主として図４及び図５を参照して説明を続けると、操作ハンドル２０は、平面視でチャンネル形状（コ字形状）に形成された基端部２０ａと、基端部２０ａに一体的に取付けられ直角の折曲端を有するハンドル２０ｂとを備え形成されている。スクリュー１８の頭部１８ａは、基端部２０ａのコ字形状の中に入る大きさの円柱状に形成されている。基端部２０ａ及び頭部１８ａの各々には、頭部１８ａの軸線方向に直交し各々を貫通する軸孔が形成され、ボルト２１ａが通されナット２１ｂにより止められている。かくして、操作ハンドル２０はその基端部２０ａがスクリュー１８の頭部１８ａに揺動自在に連結されている。また、基端部２０ａにはコ字形状の二股部の各々を貫通しボルト２１ａに平行な貫通ピン孔２０ｃが形成されている。さらに、頭部１８ａにはボルト２１ａの軸線方向に平行に断面Ｌ字状のノッチ１８ｅが形成されている。
【００２９】
操作ハンドル２０は、基端部２０ａのボルト２１ａを中心に揺動され折曲端が上プレート１０ｂの切欠部１０ｊに倒され係合されるように配設され、係合されることによりスクリュー１８の回転及び操作ハンドル２０の回転操作ができない係止位置に位置付けられる（図５に操作ハンドル２０を実線で示した状態）。係止位置においては、着脱自在なピン部材２４が基端部２０ａの貫通ピン孔２０ｃ及びスクリュー１８のノッチ１８ｅに挿入され取付けられている。かくして、操作ハンドル２０が係止位置からの揺動し離脱するのが、ピン部材２４がノッチ１８ｅと当接することにより止められている（ピン部材２４については後にさらに詳述する）。
【００３０】
図４及び図５とともに図６を参照してピン部材２４を説明する。ピン部材２４はピン本体２４ａの一端部に揺動可能な止め輪２４ｂを備えている。止め輪２４ｂは、ばね鋼線により環状にピン本体２４ａの長さより若干小径で形成され、鋼線を環状に丸めた端部の各々をピン本体２４ａにオフセットさせて取付けられている。このオフセットにより、止め輪２４ｂは、ピン本体２４ａ側の位置（図６に実線で示す）及びピン本体２４ａから軸線方向で１８０°離れた位置（図６に二点鎖線で示す）それぞれに揺動されると、その位置に自身の弾性力により付勢され保持される。
【００３１】
したがって、ピン部材２４のピン本体２４ａを、止め輪２４ｂをピン本体２４ａから離れた位置（図６に二点鎖線で示す）にして基端部２０ａのピン孔２０ｃに挿入し、その後で止め輪２４ｂを基端部２０ａに被せるように倒すことにより、止め輪２４ｂはその位置に保持され、ピン本体２４ａの抜けが防止される（図４及び図５に示す状態）。
【００３２】
以上、係止位置での操作ハンドル２０について述べたが、操作ハンドル２０によりスキー１４の高さを調整するときは、ピン部材２４を基端部２０ａから止め輪２４ｂを起こして外し、操作ハンドル２０の折曲端を上方に１８０°揺動させスクリュー１８の回転操作が可能な位置（図５に二点鎖線で示す位置）にし、スクリュー１８を回転させ、スキー１４を上下動させる。
【００３３】
主として図１を参照して上述したとおりの作業装置保持用のスキー装置の作用を説明する。
【００３４】
（１）スキーの高さ調整量：
図１とともに図７を参照して説明すると、図１の状態、すなわち揺動ブラケット１０の軸受部１１の下端にスペーサ１６が取付けられた状態において、スキー装置２のスキー１４の上下高さの調整量であるスライダ２２とスクリュー１８との螺合長さが例えば１００ｍｍに設定され、作業装置４の高さ調整範囲が基準位置から上方に８０ｍｍ下方に２０ｍｍ調整可能に設定されている場合、図７に示すようにスペーサ１６を揺動ブラケット１０の軸受部１１の上端側に組替えると、揺動ブラケット１０はスペーサ１６の厚さｔの分、例えば３０ｍｍ、下方に移動する。そして、スキー１４の調整範囲は、上方に５０ｍｍ下方に５０ｍｍに変更される。したがって、スキー装置２のスキー１４の高さ調整量を、高さ調整手段１３を改造することなしに、またスキー装置２の最小限の改造で、さらにスキー装置２を作業装置４に装着した状態で、容易に変更することができる。また、揺動ブラケット１０及びスペーサ１６の組替えは、揺動軸８をＲピン９のような工具を必要としない着脱の簡単なピンで取付けることにより、容易に行うことができる。
【００３５】
（２）高さ調整手段の構造：
高さ調整手段１３の構造は、スライドガイド１３を矩形の角筒状に形成し、その中にスライダ２２を摺動自在に嵌合したから、従来のようにスライダ及びそれに接続したスキーの回転を止めるためのキー、キー溝などを設ける必要がなく、構造が簡単で、部品数が少なく、また製作、組立も容易に行うことができる。さらに、スライドガイド１３の角筒を矩形に形成することにより、揺動ブラケット１０を構成する板部材によってスライドガイド１３を容易に形成することができる。
【００３６】
（３）高さ調整操作をしないときの操作ハンドルの係止：
操作ハンドル２０は、スキー１４の高さ調整操作をしないときには、揺動ブラケット１０の切欠部１０ｊに係合され、基端部２０ａに取付けられた着脱自在なピン部材２４によりその位置から揺動し離脱するのが止められる。したがって、操作ハンドル２０は、確実に、容易に係止され、スクリュー１８の回転は確実に防止されスキー１４の高さの変わることがなく、操作ハンドル２０が係止された位置から外れ雪、土砂、異物などによって変形、破損されるのも防止される。またピン部材２４は、止め輪２４ｂを倒すだけで容易に着脱することができ、止め輪２４ｂは操作ハンドル２０の基端部２０ａにコンパクトに位置付けられるから損傷されにくい。さらに、ピン部材２４が当接するスクリュー１８の部分にはノッチ１８ｅを形成したから、ピン部材２４の取付けの際にピン孔のように芯合わせをする面倒がない。
【００３７】
以上、本発明を実施の形態に基づいて詳細に説明したが、本発明は上記の実施の形態に限定されるものではなく、本発明の範囲内においてさまざまな変形あるいは修正ができるものである。
【００３８】
（１）スペーサ：
本発明の実施の形態においては、図１に示すように支持ブラケット６に揺動ブラケット１０とともにスペーサ１６が一個取付けられているが、スペーサ１６の数、厚さ、取付位置などは任意に設定することができる。例えば図８に示すように、二個のスペーサＳを、揺動ブラケット１０の上端側に二個（図８ａ）、又は両側にそれぞれ一個ずつ（図８ｂ）、あるいは下端側に二個（図８ｃ）取付けて、揺動ブラケット１０の高さ位置Ｈを作業装置の要求に合わせ、さらに細かく適宜に変えることもできる。
【００３９】
（２）スライドガイド：
本発明の実施の形態においては、スライドガイド１３は矩形の断面に形成されているが、矩形以外に三角形、あるいは五角形など、適宜の角形断面にすることができる。
【００４０】
（３）ピン部材取付部：
本発明の実施の形態においては、操作ハンドル２０の基端部２０ａにおけるピン部材２４は、基端部２０ａに形成されたピン孔２０ｃとスクリュー１８の頭部１８ａに形成されたノッチ１８ｈとを通し取付けられているが、この頭部１８ａのノッチ１８ｅをピン孔にしてもよい。
【００４１】
【発明の効果】
本発明に従って構成された作業装置保持用のスキー装置によれば、スキー装置の高さ調整量を、従来の高さ調整手段を改造することなしに、スキー装置の最小限の改造で、またスキー装置を作業装置に装着した状態で、容易に増加変更することができるようにし、また高さ調整手段の構造をより簡単にし、さらにスキーの高さを調整する操作ハンドルを操作しないときの係止を、確実に容易に行うことができるようにした、作業装置保持用のスキー装置が提供される。
【図面の簡単な説明】
【図１】本発明に従って構成されたスキー装置の側面図。
【図２】図１に示すスキー装置の平面図（支持ブラケットの図は省略されている）。
【図３】図１のＡ−Ａ矢印方向に見た断面図。
【図４】図２の操作ハンドルの部分の拡大図。
【図５】図４のＢ−Ｂ矢印方向に見た断面図。
【図６】図５のピン部材の詳細図。
【図７】図１の揺動ブラケットとスペーサの位置を組替えた状態の部分側面図。
【図８】揺動ブラケット及びスペーサの他の取付形態を示した説明図。
【図９】従来のスキー装置の第１の典型例の側面図。
【図１０】図９に示すスキー装置の高さ調整手段の部分断面図。
【図１１】図１０のＣ−Ｃ矢印方向に見た断面図。
【図１２】従来のスキー装置の第２の典型例の側面図。
【図１３】図１２のＤ−Ｄ矢印方向に見て操作ハンドルの係止部分を示した図。
【符号の説明】
２：スキー装置
４：作業装置
６：支持ブラケット
６ａ、６ｂ：一対の軸支部
８：揺動軸
１０：揺動ブラケット
１２：高さ調整手段
１３：スライドガイド
１４：スキー
１６：スペーサ
１８：スクリュー（回動軸）
２０：操作ハンドル
２０ａ：基端部
２２：スライダ
２４：ピン部材
２４ａ：ピン本体
２４ｂ：止め輪
５０：スキー装置
７０：スキー装置
【図１】
0003612662.tif 000002
【図２】
0003612662.tif 000003
【図３】
0003612662.tif 000004
【図４】
0003612662.tif 000005
【図５】
0003612662.tif 000006
【図６】
0003612662.tif 000007
【図７】
0003612662.tif 000008
【図８】
0003612662.tif 000009
【図９】
0003612662.tif 000010
【図１０】
0003612662.tif 000011
【図１１】
0003612662.tif 000012
【図１２】
0003612662.tif 000013
【図１３】
0003612662.tif 000014